(57)【要約】【課題】  入力色信号のうち、特色については出力色信号の特色に変換されるとともに、変換の際にＤＬＵＴを用いる場合のメモリ容量を大幅に削減したカラー画像処理装置とカラー画像処理方法を提供する。【解決手段】  ＣＭＹＫＲＧＢの７色の入力色信号のうち、特色であるＲＧＢについては、特色変換部１によって出力色信号の特色であるＲ’Ｇ’Ｂ’に色変換する。また、入力色信号のうち特色以外の色信号であるＣＭＹＫについては、基本色変換部２によって出力色信号の特色以外の色信号であるＣ’Ｍ’Ｙ’Ｋ’に色変換する。ＣＭＹＫ→Ｃ’Ｍ’Ｙ’Ｋ’も、ＲＧＢ→Ｒ’Ｇ’Ｂ’も、ともに測色的色再現を保証した色変換が可能である。また、色変換にＤＬＵＴを用いる場合には、７次元のＤＬＵＴを用いずに３次元と４次元のＤＬＵＴの２つでよいため、必要となるメモリ容量を大幅に削減することができる。【選択図】  図１
2006067394.tif 000002
【特許請求の範囲】
【請求項１】
特色を含む入力色信号を特色を含む出力色信号に変換するカラー画像処理装置において、前記入力色信号のうち特色信号について前記出力色信号の特色信号に変換する特色変換手段と、前記入力色信号のうち特色以外の色信号について前記出力色信号の特色以外の色信号に変換する基本色変換手段を有することを特徴とするカラー画像処理装置。
【請求項２】
前記基本色変換手段は、さらに、前記入力色信号の特色以外の色信号のうちブラック信号について前記出力色信号のブラック信号に変換するブラック変換手段と、前記入力色信号の特色以外の色信号のうちブラック以外の色信号について前記出力色信号の特色以外の色信号のうちのブラック以外の色信号に変換するクロマ変換手段を有することを特徴とする請求項１に記載のカラー画像処理装置。
【請求項３】
前記ブラック変換手段は１次元のルックアップテーブルからなり、前記クロマ変換手段は前記入力色信号の特色以外の色信号数よりも小さい次元のルックアップテーブルからなることを特徴とする請求項２に記載のカラー画像処理装置。
【請求項４】
前記特色変換手段は、前記入力色信号の色信号数よりも小さい次元のルックアップテーブルからなることを特徴とする請求項１ないし請求項３のいずれか１項に記載のカラー画像処理装置。
【請求項５】
前記入力色信号における特色は、レッド、グリーン、ブルーのうちの１色ないし３色からなることを特徴とする請求項１ないし請求項４のいずれか１項に記載のカラー画像処理装置。
【請求項６】
前記入力色信号における特色以外の色は、イエロー、マゼンタ、シアン、ブラックのうちの１色ないし４色からなることを特徴とする請求項１ないし請求項５のいずれか１項に記載のカラー画像処理装置。
【請求項７】
前記特色変換手段は、前記入力色信号及び前記出力色信号のうちの特色信号による色票を出力して測色し、該測色結果と前記色票を出力したときの前記入力色信号及び前記出力色信号のうちの特色信号との関係から決定される変換特性に従って、前記入力色信号の特色信号を前記出力色信号の特色信号に変換することを特徴とする請求項１ないし請求項６のいずれか１項に記載のカラー画像処理装置。
【請求項８】
前記基本色変換手段は、前記入力色信号及び前記出力色信号のうちの特色以外の色信号による色票を出力して測色し、該測色結果と前記色票を出力したときの前記入力色信号及び前記出力色信号のうちの特色以外の色信号との関係から決定される変換特性に従って、前記入力色信号のうちの特色以外の色信号を前記出力色信号のうちの特色以外の色信号に変換することを特徴とする請求項１ないし請求項７のいずれか１項に記載のカラー画像処理装置。
【請求項９】
特色を含む入力色信号を特色を含む出力色信号に変換するカラー画像処理方法において、前記入力色信号のうち特色信号について特色変換手段で前記出力色信号の特色信号に変換し、また前記入力色信号のうち特色以外の色信号について基本色変換手段で前記出力色信号の特色以外の色信号に変換することを特徴とするカラー画像処理方法。
【請求項１０】
前記入力色信号の特色以外の色信号については、そのうちブラック信号についてブラック変換手段で前記出力色信号のブラック信号に変換し、前記入力色信号の特色以外の色信号のうちブラック以外の色信号についてクロマ変換手段で前記出力色信号の特色以外の色信号のうちのブラック以外の色信号に変換することを特徴とする請求項９に記載のカラー画像処理方法。
【請求項１１】
前記ブラック信号については１次元のルックアップテーブルにより変換し、前記入力色信号の特色以外の色信号のうちブラック以外の色信号については前記入力色信号の特色以外の色信号数よりも小さい次元のルックアップテーブルにより変換することを特徴とする請求項１０に記載のカラー画像処理方法。
【請求項１２】
前記入力色信号の特色信号については、前記入力色信号の色信号数よりも小さい次元のルックアップテーブルにより変換することを特徴とする請求項９ないし請求項１２のいずれか１項に記載のカラー画像処理方法。
【請求項１３】
前記入力色信号における特色は、レッド、グリーン、ブルーのうちの１色ないし３色からなることを特徴とする請求項９ないし請求項１２のいずれか１項に記載のカラー画像処理方法。
【請求項１４】
前記入力色信号における特色以外の色は、イエロー、マゼンタ、シアン、ブラックのうちの１色ないし４色からなることを特徴とする請求項９ないし請求項１３のいずれか１項に記載のカラー画像処理方法。
【請求項１５】
前記入力色信号及び前記出力色信号のうちの特色信号による色票を出力して測色し、該測色結果と前記色票を出力したときの前記入力色信号及び前記出力色信号のうちの特色信号との関係から決定される変換特性に従って、前記入力色信号の特色信号を前記出力色信号の特色信号に変換することを特徴とする請求項９ないし請求項１４のいずれか１項に記載のカラー画像処理方法。
【請求項１６】
前記入力色信号及び前記出力色信号のうちの特色以外の色信号による色票を出力して測色し、該測色結果と前記色票を出力したときの前記入力色信号及び前記出力色信号のうちの特色以外の色信号との関係から決定される変換特性に従って、前記入力色信号のうちの特色以外の色信号を前記出力色信号のうちの特色以外の色信号に変換することを特徴とする請求項９ないし請求項１５のいずれか１項に記載のカラー画像処理方法。
【請求項１７】
特色を含む入力色信号を特色を含む出力色信号に変換する処理をコンピュータに実行させるカラー画像処理プログラムにおいて、請求項９ないし請求項１６のいずれか１項に記載のカラー画像処理方法をコンピュータに実行させることを特徴とするカラー画像処理プログラム。
【請求項１８】
特色を含む入力色信号を特色を含む出力色信号に変換する処理をコンピュータに実行させるカラー画像処理プログラムを格納したコンピュータが読取可能な記憶媒体において、請求項９ないし請求項１６のいずれか１項に記載のカラー画像処理方法をコンピュータに実行させるカラー画像処理プログラムを格納したことを特徴とするコンピュータが読取可能な記憶媒体。
【発明の詳細な説明】
【技術分野】
【０００１】
本発明は、特色を含む入力色信号を、同じく特色を含む出力色信号に変換するカラー画像処理技術に関するものである。
【背景技術】
【０００２】
印刷技術では、イエロー（Ｙ）、マゼンタ（Ｍ）、シアン（Ｃ）およびブラック（Ｋ）の４色プロセス印刷で再現できない鮮やかな色を表現するための技術として、レッド（Ｒ）、グリーン（Ｇ）およびブルー（Ｂ）の原色系インクや蛍光インクで構成される特色をＹＭＣＫの４色に加え、色再現を行っている。特色の色見本としては、Ｐａｎｔｏｎｅ社の色見本などが知られており、１０００色程度の特色が定義されている。例えば、ＹＭＣＫ４色のプロセスカラーに加えて、特色としてオレンジ（Ｏ）、グリーン（Ｇ）を加えたヘキサクローム印刷や、特色としてＲＧＢを加えたＨｉＦｉカラー印刷など（以後６／７色印刷と表記する）が一般に行われている。
【０００３】
一方、近年のコンピュータ技術、ネットワーク技術およびカラープリンタ技術の発展に伴い、従来は印刷所に発注していた印刷物を、オフィスや自宅等でコンピュータを使って電子的な印刷原稿を作成し、小部数の印刷であればオフィスや自宅等で所有しているカラープリンタで出力し、大部数の印刷であれば印刷所に電子原稿で入稿するデスクトップパブリッシング（以下ＤＴＰと表記する）が盛んに行われるようになってきている。ＤＴＰの場合では対象となる出力装置が印刷であるので、コンピュータ上で電子的な印刷データを作成する場合は印刷での画像記録信号で作成するのが一般的である。
【０００４】
また、このような印刷機で印刷するための印刷データについて、校正を行うための校正刷り（プルーフ）を、電子写真方式やインクジェット方式等のカラープリンタなど、印刷機とは異なる装置で行うことも行われるようになってきた。このとき、印刷機で印刷された色と、プリンタなどの他の装置で印刷された色とが異なってしまったのでは色校正を行うことができない。そのため、印刷物の色と、プルーフの印刷に用いられる装置における出力色とを一致させるためのカラーマネージメント技術（以後ＣＭＳと表記する）も一般的になってきている。
【０００５】
ＣＭＳの代表例としてＩＣＣが提案する仕様に基づいた色変換処理（以後ＩＣＣ方式と表記する）がある。図６は、ＩＣＣ方式による色変換処理を行うカラー画像処理装置の一例を示すブロック図である。図中、６１は７次元ＤＬＵＴ、６２は３次元ＤＬＵＴである。このＩＣＣ方式によって、上述のような６／７色印刷を行う印刷データについて、例えばプルーフを印刷する場合などのように印刷機以外の特色を含むカラープリンタを用いて印刷する場合、一般に補間付きのダイレクトルックアップテーブル（以後ＤＬＵＴと表記する）が用いられる。図６においては、７色のＨｉＦｉ印刷を行う際の印刷データについて色一致させる際の構成を示している。図６に示すように、７色の印刷データが入力色信号として入力される場合、印刷機の色再現特性を反映した７次元ＤＬＵＴ６１によって、デバイスに依存しない色空間、ここではＣＩＥＬＡＢ色空間の色信号Ｌ* ａ* ｂ* に変換する。その後、実際に印刷するプリンタの色再現特性を反映した３次元ＤＬＵＴ６２によって、プリンタに入力するための色信号、ここでは７色の色信号に変換している。
【０００６】
図７は、デバイスリンク方式による色変換処理を行うカラー画像処理装置の一例を示すブロック図である。図中、６３は７次元ＤＬＵＴである。図６に示した印刷機の特性に対応した色変換処理と、プリンタの特性に対応した色変換処理を一括して行う方式も考えられており、デバイスリンク方式と呼ばれる。図７においても、図６と同様に７色のＨｉＦｉ印刷を行う際の印刷データについて色一致させる際の構成を示している。デバイスリンク方式では、入力色信号となる７色の色信号を入力とし、プリンタに渡す出力色信号となる７色の色信号を出力とする７次元ＤＬＵＴ６３によって構成することができる。
【０００７】
上述の図６に示した方法では、デバイスに依存しない色信号Ｌ* ａ* ｂ* から特色を含む７色の色信号を生成することになる。図７に示す方法の場合も、７次元ＤＬＵＴ６３に設定する色変換係数を決定する際には、同様にデバイスに依存しない色信号Ｌ* ａ* ｂ* から特色を含む７色の色信号を生成する。このときの方法として、いくつかの方法が考えられている。
【０００８】
特許文献１には、ＹＭＣＫＲＧＢの７色プロセスインクで色再現する画像形成装置が記載されている。この画像形成装置では、スキャナーなどの入力機器のＲＧＢ信号から印刷などの出力機器のＹＭＣＫＲＧＢへの色変換をアクロマチック成分（ブラック成分）とクロマチック成分（ＲＧＢ成分）のＵＣＲにより決定しており、所謂Ｋｕｅｐｐｅｒｓ  Ｔｅｃｈｎｉｑｕｅと呼ばれる手法が提案されている。この手法はＨｉＦｉカラーの色変換処理として、最初に提案された手法であり、アルゴリズムも簡便であるため、広く活用されている。
【０００９】
このＫｕｅｐｐｅｒｓ  ＴｅｃｈｎｉｑｕｅをＩＣＣに準拠した色変換に適用することを考えると、Ｌ* ａ* ｂ* 色空間のような機器独立の色空間の色信号を公知の３入力３出力の色変換手段によりＲＧＢ色信号に変換し、ＲＧＢ色信号にアクロマチック成分とクロマチック成分のＵＣＲ処理を行うことにより、機器独立の色信号から特色およびブラックを含む５色ないし７色の画像記録信号への変換が実現できる。
【００１０】
別の方法として所謂分割法と呼ばれる手法が提案されている。この手法では、ＨｉＦｉカラーの色域について、ブラックを含む３色もしくは４色の組み合わせで構成される色域に分割し、分割色域内において通常の３色もしくは４色のプリンタと同様の手法で機器独立の色信号から分割色域内における３色もしくは４色の画像記録信号を決定することにより、機器独立の色信号から特色およびブラックを含む画像記録信号への変換を行う。例えば特許文献２には、ブラックおよびその他の色相の近い２色を組み合わせた分割色域を用いて、機器独立の色信号から特色およびブラックを含む画像記録信号への変換処理用のＤＬＵＴの係数を決定する手法が提案されている。また、例えば特許文献３には、ブラックおよびその他の３色を組み合わせた分割色域を用いて機器独立の色信号から特色およびブラックを含む画像記録信号への変換処理用のＤＬＵＴ係数を決定する方法が提案されている。
【００１１】
しかしながら、いずれの方法においても、ＹＭＣやＹＭＣＫ、あるいはＲＧＢなどの色信号から、特色を含む６／７色の色信号を作成する技術である。図６にも示したように、特色を含む入力色信号は、機器独立の色信号に変換された際に、入力色信号の特色およびブラック情報が保持されていない。そのため、入力色信号と出力色信号とで、特色やブラックの値が異なってしまうという問題がある。特に特色については、印刷物をデザインする際にデザイナーが意識的に使用することも多く、プルーフと印刷物とで色の見えが異なってしまう場合があった。またブラックについても、例えばＣＭＹの混合によるプロセスブラックとは色の見えが異なることが多い。そのため、特色やブラックについては、その信号値をなるべく保存することが望まれている。
【００１２】
例えば入力色信号及び出力色信号とも４色の場合の色変換を行うカラー画像処理装置では、特許文献４にも記載されているようにＫを保存することが考えられている。しかし特色については、現在のところ、まだ保存することは考えられていない。また、複数の特色が用いられている場合、特色相互の関係もあるため、Ｋのように単独で保存することができないという問題もある。
【００１３】
一方、上述の図６や図７に示したようにＤＬＵＴを用いて色変換処理を行う場合、ＤＬＵＴを構成するために必要となるメモリ容量は、入力色信号数（入力側の次元）の累乗に比例する。そのため、６／７色印刷を行うためのＤＬＵＴには、大容量のメモリが必要であり、高精度な色変換処理を実現するためにはコストがかかるといった問題点がある。
【００１４】
例えば、入力色信号の色数を７色、ＤＬＵＴ格子点の分割数（各色要素について出力データを保持する点の数）を９分割、出力色信号を７色とし、この変換後の出力色信号として各色信号毎に１バイトで記憶することにする。この場合、必要なメモリ容量は、図６に示したＩＣＣ方式で９7 ×１×３＋９3 ×１×７＝１４，３５４，０１０バイト必要となる。また、図７に示したデバイスリンク方式では９7 ×１×７＝３３，４８０，７８３バイトものメモリ容量が必要である。そのため、通常広く用いられている入出力の色数が３色の場合におけるＤＬＵＴのメモリ容量が２，１８７バイトで済むことを考えると、その差は非常に大きい。
【００１５】
【特許文献１】米国特許第４８１２８９９号明細書
【特許文献２】特開２０００−３２２８４号公報
【特許文献３】特開２００１−１３６４０１号公報
【特許文献４】特開２００１−１６９１３１号公報
【発明の開示】
【発明が解決しようとする課題】
【００１６】
本発明は、上述した事情に鑑みてなされたもので、入力色信号のうち、特色については出力色信号の特色に変換されるとともに、変換の際にＤＬＵＴを用いる場合のメモリ容量を大幅に削減したカラー画像処理装置とカラー画像処理方法を提供することを目的とするものである。また、そのようなカラー画像処理方法をコンピュータに実行させるプログラム及びそのようなプログラムを格納した記憶媒体を提供することを目的とするものである。
【課題を解決するための手段】
【００１７】
本発明は、特色を含む入力色信号を特色を含む出力色信号に変換するカラー画像処理装置及びカラー画像処理方法において、入力色信号のうち特色信号については出力色信号の特色信号に変換し、また入力色信号のうち特色以外の色信号については出力色信号の特色以外の色信号に変換することを特徴とするものである。特色以外の色信号については、さらにブラックとそれ以外に分け、それぞれ別々に変換することができる。なお、特色としてはレッド、グリーン、ブルーのうちの１色ないし３色、特色以外の色としてはイエロー、マゼンタ、シアン、ブラックのうちの１色ないし４色とすることができる。
【００１８】
特色と、特色及びブラック以外の色変換についてはＤＬＵＴを用いて行うことができる。ブラックについては、１次元のルックアップテーブル（ＬＵＴ）を用いることができる。
【００１９】
これらのＤＬＵＴやＬＵＴに設定する色変換係数を求める際には、入力色信号及び出力色信号について、それぞれ、特色と特色以外とで別々に色票を出力して測色する。その測色結果と、色票を出力したとき用いた入力色信号及び出力色信号の特色あるいは特色以外の色との関係から、変換特性を決定する。そして、その変換特性に従って、入力色信号の特色信号あるいは特色以外の色信号を前記出力色信号の特色信号あるいは特色以外の色信号に変換する色変換係数を求めればよい。
【００２０】
また、上述のような本発明のカラー画像処理方法は、コンピュータに実行させるカラー画像処理プログラムとして構成することもできる。また、そのようなカラー画像処理プログラムは、記憶媒体に格納して構成することもできる。
【発明の効果】
【００２１】
本発明によれば、入力色信号を特色とそれ以外の色にグループ化し、それぞれのグループごとに色変換処理を行うので、入力色信号の特色は出力色信号の特色に変換され、特色を特色により再現することができるという効果がある。また、それぞれの色変換処理をＤＬＵＴにより行う場合には、それぞれのＤＬＵＴの次元を低減できるため、従来技術であるＩＣＣ方式やデバイスリンク方式に比べて大幅にＤＬＵＴのメモリ容量を削減し、低コストで実現することができるという効果もある。特色以外の色信号について、ブラックとそれ以外にグループ化し、それぞれのグループごとに色変換処理を行えば、さらにブラックについてもブラックにより再現でき、また、メモリ容量についてもさらに削減することができる。
【００２２】
なお、それぞれのグループに対する色変換は、グループ化した入力色信号と出力色信号の組み合わせに対する色票を出力し、この色票を測色した結果と入力色信号および出力色信号の関係から変換特性を決定し、その変換特性に従って色変換を行うように構成することができる。これによって、グループ化した色信号の変換における測色的色再現を保証できるので、高精度な色変換を実現することが可能になる。
【発明を実施するための最良の形態】
【００２３】
図１は、本発明の第１の実施の形態を示すブロック図である。図中、１は特色変換部、２は基本色変換部である。ここではＨｉＦｉカラー印刷において特色としてＲＧＢを用いたＹＭＣＫＲＧＢの７色の色信号が入力色信号として入力され、同様にＹ’Ｍ’Ｃ’Ｋ’Ｒ’Ｇ’Ｂ’の７色の色信号を出力色信号として出力する例を示している。
【００２４】
特色変換部１は、入力色信号のうちの特色であるＲＧＢを１つのグループとして、出力色信号の特色であるＲ’Ｇ’Ｂ’に色変換する。この特色変換部１としては、例えば４次元のＤＬＵＴにより構成することができる。
【００２５】
基本色変換部２は、入力色信号のうちの特色以外のＹＭＣＫを１つのグループとして、出力色信号のうちの特色以外のＹ’Ｍ’Ｃ’Ｋ’に色変換する。この基本色変換部２としては、例えば４次元のＤＬＵＴにより構成することができる。
【００２６】
このような構成により、例えば印刷機によって印刷することを前提に作成されたＨｉＦｉカラー印刷における印刷データである入力色信号ＹＭＣＫＲＧＢを、例えばプルーフの印刷に用いるカラープリンタ等で用いるための出力色信号Ｙ’Ｍ’Ｃ’Ｋ’Ｒ’Ｇ’Ｂ’に変換することができる。
【００２７】
上述のようなＨｉＦｉ印刷で用いられるＹＭＣＫＲＧＢの７色の場合では、減法混色における３原色であるＹＭＣと加法混色における３原色であるＲＧＢについて、入出力における測色的色再現を保証できるため、色変換が可能な色の組み合わせとなる。もちろん、ＹＭＣにＫを加えたＹＭＣＫについても色変換可能であることは、特許文献４などからしても明らかである。
【００２８】
従って、ＹＭＣあるいはＹＭＣＫについて高い色再現性を実現することができると共に、特色であるＲＧＢについても、ＲＧＢのみにより高い色再現性を実現することができる。
【００２９】
従来技術であるＩＣＣ方式では、入力色信号を機器独立色空間に変換した際に、入力色信号における特色量が保持されないという問題点があった。これに対して本発明では、特色とそれ以外の色を別々に処理しているため、入力色信号における特色を情報を保持することが可能である。具体的には、ＩＣＣ方式では、入力色信号において特色だけが用いられている場合であっても、出力のカラープリンタではＹＭＣＫを含んだ色再現になったり、入力色信号においてＹＭＣＫだけが用いられている場合であっても、出力のカラープリンタでは特色を含んだ色再現になる可能性がある。これに対して本発明では、入力色信号において特色だけが用いられている場合は、出力のカラープリンタでも特色だけを用いた色再現となり、入力色信号においてＹＭＣＫだけが用いられている場合は、出力のカラープリンタではＹＭＣＫだけを用いた色再現となることが保証されている。しかも、特色変換部１及び基本色変換部２における変換パラメータを、入力色信号が想定する機器（例えば印刷機）と出力色信号が想定する機器（例えばカラープリンタ）との色再現特性を考慮して両者の色がほぼ一致するように設定しておけば、ＹＭＣＫだけでなく、特色であるＲＧＢについても、ほぼ色の一致を図ることができる。
【００３０】
もちろん、測色的に色をほぼ一致させるほか、所望の色に変換するといったことも可能である。この場合も、特色については他の色とは別に変換することができるので、特色の部分のみ、異なる色に変換して特殊効果を表現するといったことも可能となる。
【００３１】
また、特色変換部１及び基本色変換部２をＤＬＵＴで構成したとき、そのメモリ容量は入力される色信号の数の累乗に比例することから、上述のように入力色信号の色信号数よりも低い次元のＤＬＵＴを複数設けることによって、メモリ容量を大幅に削減することができる。例えばＤＬＵＴの構成として、各色信号に対応する軸の分割数を９分割、出力するデータとして各色信号ごとに１バイトを記憶する場合を考えると、必要なメモリ容量は、９4 ×１×４＋９3 ×１×３＝２８，４３１バイトとなる。従来技術で述べたように、ＩＣＣ方式では１４，３５４，０１０バイトが必要であったことと比べて、この第１の実施の形態の構成では５０５分の１のメモリ容量で済む。従って、本発明の構成により、ＤＬＵＴのメモリ容量を大幅に削減でき、この削減による低コスト化を実現することができる。
【００３２】
図２は、本発明の第１の実施の形態における変形例を示すブロック図である。図中の符号は図１と同様である。この例では、入力色信号の特色と出力色信号の特色とが異なる場合について示している。すなわち、入力色信号の特色はＲＧＢであるが、出力色信号の特色として、オレンジ（Ｏ）、グリーン（Ｇ）、バイオレット（Ｖ）を用いる場合を示している。
【００３３】
特色変換部１は、入力色信号のうちの特色であるＲＧＢについて、出力色信号の特色であるＯ’Ｇ’Ｖ’に変換する。このとき、入力色信号のうちの特色であるＲＧＢによって表現される色を、出力色信号の特色であるＯ’Ｇ’Ｖ’によってほぼ再現することができる。もちろん、異なる色に変換することも可能である。
【００３４】
このように入力色信号と出力色信号とで使用する特色が異なる場合でも、全く同様の構成によって対応可能である。もちろん、出力色信号の特色は上述のＯＧＶに限られるものではない。
【００３５】
図３は、本発明の第２の実施の形態を示すブロック図である。図中、図１と同様の部分には同じ符号を付して重複する説明を省略する。１１はブラック変換部、１２はクロマ変換部である。この第２の実施の形態では、入力色信号のうちの特色以外のＹＭＣＫについて、ブラックＫとそれ以外のＹＭＣとにグループ分けし、それぞれ別に処理を行う例を示している。なお、入力色信号のうちの特色ＲＧＢについては、上述の第１の実施の形態と同様に特色変換部１によって出力色信号の特色Ｒ’Ｇ’Ｂ’に変換する。
【００３６】
ブラック変換部１１は、入力色信号の特色以外の色信号のうちのブラックＫについて、出力色信号の特色以外の色信号のうちのブラックＫ’に変換する。このブラック変換部１１としては、例えば１次元のＬＵＴにより構成することができる。
【００３７】
クロマ変換部１２は、入力色信号の特色以外の色信号のうちのブラック以外の色信号であるＹＭＣについて１つのグループとして、出力色信号の特色以外の色信号のうちのブラック以外の色信号であるＹ’Ｍ’Ｃ’に色変換する。このクロマ変換部１２としては、例えば３次元のＤＬＵＴにより構成することができる。
【００３８】
このような構成により、例えば印刷機によって印刷することを前提に作成されたＨｉＦｉカラー印刷における印刷データである入力色信号ＹＭＣＫＲＧＢを、例えばプルーフの印刷に用いるカラープリンタ等で用いるための出力色信号Ｙ’Ｍ’Ｃ’Ｋ’Ｒ’Ｇ’Ｂ’に変換することができる。このとき、入力色信号のうちの特色ＲＧＢ及びブラックＫについては、出力色信号のうちの特色ＲＧＢ及びブラックＫにより再現することができる。また、入力色信号のうちのＹＭＣについても出力色信号のうちのＹＭＣによって再現することができる。
【００３９】
この第２の実施の形態においても、ＨｉＦｉ印刷で用いられるＹＭＣＫＲＧＢの７色の場合に、減法混色における３原色であるＹＭＣと加法混色における３原色であるＲＧＢについて、入出力における測色的色再現を保証できるため、色変換が可能な色の組み合わせとなる。また、ブラックの色再現は明度のみで規定されると考えると、ブラックも色変換が可能な色の組み合わせとなる。従って、ＹＭＣ、ＲＧＢ、Ｋについて、それぞれ、高い色再現性を実現することができる。特にブラックＫについては従来より単色による再現が望まれており、この第２の実施の形態ではこれを実現することができる。
【００４０】
もちろん、測色的に色をほぼ一致させるほか、所望の色に変換するといったことも可能である。この場合も、特色及びブラックについてはそれぞれ他の色とは別に変換することができるので、例えば特色の部分のみ、異なる色に変換して特殊効果を表現するといったことも可能となる。
【００４１】
また、特色変換部１及びブラック変換部１１，クロマ色変換部２をＤＬＵＴで構成したとき、そのメモリ容量は入力される色信号の数の累乗に比例することから、上述のように入力色信号の色信号数よりも低い次元のＤＬＵＴを複数設けることによって、メモリ容量を大幅に削減することができる。例えばＤＬＵＴの構成として、各色信号に対応する軸の分割数を９分割、出力するデータとして各色信号ごとに１バイトを記憶する場合を考えると、必要なメモリ容量は、９3 ×１×３×２＋９1 ×１×１＝４，３８７バイトで済む。従来技術で述べたように、ＩＣＣ方式では１４，３５４，０１０バイトが必要であったことと比べて、この第１の実施の形態の構成では３２７５分の１のメモリ容量で済む。従って、本発明の構成により、ＤＬＵＴのメモリ容量を大幅に削減でき、この削減による低コスト化の効果が非常に大きい。
【００４２】
なお、この第２の実施の形態においても、上述の第１の実施の形態と同様の各種の変形が可能であり、例えば図２に示したように入力色信号の特色と出力色信号の特色とが異なる場合であっても同じ構成により対応することができる。
【００４３】
図４は、ＤＬＵＴの色変換パラメータの設定方法の一例を示すフローチャートである。上述の第１の実施の形態における特色変換部１及び基本色変換部２として用いるＤＬＵＴ、及び第２の実施の形態におけるクロマ変換部１２として用いるＤＬＵＴは、それぞれについて図４に示すような方法で決定することができる。
【００４４】
Ｓ２１において、ＤＬＵＴに入力される色の組み合わせに対する色票を入力側の機器（例えば印刷機）で出力し、その測色値（Ｌ* ａ* ｂ* ）を測色計で測定する。同様に、ＤＬＵＴから出力される色の組み合わせに対する色票を出力側の機器（例えばカラープリンタ）で出力し、その測色値を測定する。
【００４５】
Ｓ２２において、入力色信号のうちのＤＬＵＴに入力される色信号と、その色信号に対する測色値とのデータセットを教師データとして、ニューラルネットワーク１に学習させ、入力側の機器の色再現特性をモデル化（以後色変換モデルと呼ぶ）する。同様に、出力色信号のうちのＤＬＵＴから出力される色信号と、その色信号に対する測色値とのデータセットを教師データとして、ニューラルネットワーク２に学習させ、出力側の機器の色変換モデルを決定する。なお、ここでは色変換モデルを決定する際にニューラルネットワークを用いているが、これに限らず、高次多項式モデルなど、他の方式の色変換モデルも適用することが可能である。
【００４６】
Ｓ２３において、ＤＬＵＴのアドレス値（入力色信号のうちの色信号）から、入力側の装置の色変換モデル（ここではニューラルネットワーク１）を用いて、対応する測色値（Ｌ* ａ* ｂ* ）を決定する。その測色値を、出力側の装置の色変換モデル（ここではニューラルネットワーク２）に入力して数値的に解くことにより、出力色信号のうちのＤＬＵＴから出力される色信号を決定する。
【００４７】
Ｓ２４において、このようにして決定された入力色信号のうちのＤＬＵＴに入力される色信号に対応するＤＬＵＴのアドレスに、決定された出力色信号のうちのＤＬＵＴから出力される色信号を設定する。
【００４８】
上述のような処理を、特色変換部１であれば入力色信号及び出力色信号の特色について行い、また基本色変換部２であれば入力色信号及び出力色信号の特色以外の色信号について行い、クロマ変換部１２であれば入力色信号及び出力色信号の特色及びブラック以外の色信号について行えばよい。例えば特色変換部１のＤＬＵＴに設定する色変換パラメータを求める場合には、入力色信号の特色であるＲＧＢの種々の組み合わせの色票を印刷機で印刷して測色してＲＧＢと測色値から入力側の色変換モデルを作成する。また出力色信号の特色であるＲ’Ｇ’Ｂ’の種々の組み合わせの色票をカラープリンタで印刷して測色し、Ｒ’Ｇ’Ｂ’及びその測色値から出力側の色変換モデルを作成する。そして、特色変換部１のＤＬＵＴのアドレス値となるＲＧＢから、入力側の色変換モデルを用いて測色値を取得し、その測色値をもとに出力側の色変換モデルを用いて出力色信号の特色を決定して、ＤＬＵＴのアドレスに格納してゆけばよい。基本色変換部２やクロマ変換部１２も同様である。このようにして、特色変換部１，基本色変換部２，クロマ変換部１２をＤＬＵＴで構成する場合の色一致を目的とした色変換パラメータを決定することができる。
【００４９】
なお、ブラック変換部１１については、上述のＳ２１と同様にして入力色信号のブラック及び出力色信号のブラックについて、それぞれ、入力側の機器及び出力側の機器で色票を出力し、その色票を測色する。そして、入力色信号のブラック及びその測色値と、出力色信号のブラック及びその測色値から、突き当てにより入力色信号のブラックから出力色信号のブラックを算出するための１次元のＬＵＴを得ることができる。もちろん、ブラック変換部１１の色変換パラメータの求め方も、この例に限られるものではない。
【００５０】
上述の第１及び第２の実施の形態においては、特色変換部１、基本色変換部２，クロマ変換部１２をＤＬＵＴにより、またブラック変換部１１をＬＵＴにより構成するものとして説明した。しかしこれに限らず、例えばマトリクス演算等の所定の関数により色変換を行うなど、他の方式により色変換を行うように構成することもできる。
【００５１】
また、上述の第１及び第２の実施の形態では、入力色信号及び出力色信号として７色の色信号であるものとした。しかしこれに限らず、ＹＭＣＫＲＧの６色印刷であるヘキサクローム印刷においても、同様にＹＭＣＫ（あるいはＹＭＣとＫ）、ＲＧの色の組み合わせを用いることにより、色変換を実現することが可能である。
【００５２】
図５は、本発明のカラー画像処理装置の機能またはカラー画像処理方法をコンピュータプログラムで実現した場合におけるコンピュータプログラムおよびそのコンピュータプログラムを格納した記憶媒体の一例の説明図である。図中、３１はプログラム、３２はコンピュータ、４１は光磁気ディスク、４２は光ディスク、４３は磁気ディスク、４４はメモリ、５１は光磁気ディスク装置、５２は光ディスク装置、５３は磁気ディスク装置である。
【００５３】
上述の各実施の形態で説明した構成の一部または全部を、コンピュータにより実行可能なプログラム３１によって実現することが可能である。その場合、そのプログラム３１およびそのプログラムが用いるデータなどは、コンピュータが読み取り可能な記憶媒体に記憶することも可能である。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達できるものである。例えば、光磁気ディスク４１，光ディスク４２（ＣＤやＤＶＤなどを含む）、磁気ディスク４３，メモリ４４（ＩＣカード、メモリカードなどを含む）等である。もちろんこれらの記憶媒体は、可搬型に限られるものではない。
【００５４】
これらの記憶媒体にプログラム３１を格納しておき、例えばコンピュータ３２の光磁気ディスク装置５１，光ディスク装置５２，磁気ディスク装置５３，あるいは図示しないメモリスロットにこれらの記憶媒体を装着することによって、コンピュータからプログラム３１を読み出し、本発明のカラー画像処理装置の機能またはカラー画像処理方法を実行することができる。あるいは、あらかじめ記憶媒体をコンピュータ３２に装着または内蔵しておき、例えばネットワークなどを介してプログラム３１をコンピュータ３２に転送し、記憶媒体にプログラム３１を格納して実行させてもよい。
【００５５】
もちろん、一部の機能についてハードウェアによって構成することもできるし、あるいは、すべてをハードウェアで構成してもよい。あるいは、例えば画像出力装置のプログラムやそのドライバプログラムなどとともに１つのプログラムとして構成することもできる。もちろん、他の用途に適用する場合には、その用途におけるプログラムとの一体化も可能である。
【図面の簡単な説明】
【００５６】
【図１】本発明の第１の実施の形態を示すブロック図である。
【図２】本発明の第１の実施の形態における変形例を示すブロック図である。
【図３】本発明の第２の実施の形態を示すブロック図である。
【図４】ＤＬＵＴの色変換パラメータの設定方法の一例を示すフローチャートである。
【図５】本発明のカラー画像処理装置の機能またはカラー画像処理方法をコンピュータプログラムで実現した場合におけるコンピュータプログラムおよびそのコンピュータプログラムを格納した記憶媒体の一例の説明図である。
【図６】ＩＣＣ方式による色変換処理を行うカラー画像処理装置の一例を示すブロック図である。
【図７】デバイスリンク方式による色変換処理を行うカラー画像処理装置の一例を示すブロック図である。
【符号の説明】
【００５７】
１…特色変換部、２…基本色変換部、１１…ブラック変換部、１２…クロマ変換部、３１…プログラム、３２…コンピュータ、４１…光磁気ディスク、４２…光ディスク、４３…磁気ディスク、４４…メモリ、５１…光磁気ディスク装置、５２…光ディスク装置、５３…磁気ディスク装置、６１…７次元ＤＬＵＴ、６２…３次元ＤＬＵＴ、６３…７次元ＤＬＵＴ。
【図１】
2006067394.tif 000003
【図２】
2006067394.tif 000004
【図３】
2006067394.tif 000005
【図４】
2006067394.tif 000006
【図５】
2006067394.tif 000007
【図６】
2006067394.tif 000008
【図７】
2006067394.tif 000009